(57)【要約】【課題】指定されたウエブページに付加コンテンツを盛り込んでブラウザホンに中継転送するサービスを提供する際、ブラウザホンにおいて快適なユーザインタフェース環境を実現する。【解決手段】ブラウザホンから指定ＵＲＬを取得する手段と、指定ＵＲＬに該当する指定ウエブページを取得する手段と、指定ウエブページを起源とする変換画面情報に付加画面情報を組み合わせて生成した変換ウエブページをブラウザホンに送達する手段と、付加画面情報に盛り込む付加コンテンツの記憶手段とを備えた情報提供装置であって、変換ウエブページはブラウザホンにおいて処理され、変換画面情報は指定ウエブページの画面情報を表示して表示中のカーソル機能を有効化させ、付加画面情報は指定ウエブページの復元画面情報中に割り当てたスクロール情報領域に付加コンテンツの文字列をスクロール表示してブラウザホンの特定入力キーに連動して特定ＵＲＬを発信させる。【選択図】    図４
2005128617.tif 000002
【特許請求の範囲】
【請求項１】
ブラウザホンと通信してブラウザホンが指定するＵＲＬ（指定ＵＲＬとする）を取得する手段と、
指定ＵＲＬに該当するウエブページ（指定ウエブページ）を取得する手段と、
指定ウエブページの画面情報を特定言語により表現し直した変換画面情報に、特定言語により表現した付加画面情報を組み合わせた変換ウエブページを生成する手段と、
指定ＵＲＬを発したブラウザホンに指定ウエブページを起源とする変換ウエブページを送達する手段と、
付加画面情報に盛り込む付加コンテンツを記憶する手段と、を備え、
変換ウエブページは、特定言語を解釈するプログラムが実装されたブラウザホンにおいて処理され、
変換画面情報は、指定ウエブページの画面情報を復元して表示し、表示中のカーソル機能を有効化させ、
付加画面情報は、指定ウエブページの復元画面情報に添って割り当てられたスクロール情報領域に付加コンテンツの文字列をスクロール表示し、ブラウザホンの特定入力キーに連動してブラウザホンから特定ＵＲＬを発信させる
情報提供装置。
【請求項２】
付加画面情報は、ブラウザホンの特定入力キーに連動して指定ウエブページに対応付けされたＵＲＬをブラウザホンから発信させる請求項１に記載の情報提供装置。
【請求項３】
ブラウザホンと通信してブラウザホンが指定するＵＲＬ（指定ＵＲＬとする）を取得する手段と、
指定ＵＲＬに該当するウエブページ（指定ウエブページ）を取得する手段と、
指定ウエブページの画面情報を特定言語により表現し直した変換画面情報に、特定言語により表現した付加画面情報を組み合わせた変換ウエブページを生成する手段と、
指定ＵＲＬを発したブラウザホンに指定ウエブページを起源とする変換ウエブページを送達する手段と、
付加画面情報に盛り込む付加コンテンツを記憶する手段と、を備え、
変換ウエブページは、特定言語を解釈するプログラムが実装されたブラウザホンにおいて処理され、
変換画面情報は、指定ウエブページの画面情報を復元して表示し、表示中のカーソル機能を有効とし、
付加画面情報は、指定ウエブページの復元画面情報に添って割り当てられたスクロール情報領域に付加コンテンツの文字列をスクロール表示し、ブラウザホンの特定入力キーに連動してブラウザホンから特定電話番号を発呼させる
情報提供装置
【請求項４】
付加画面情報は、ブラウザホンの特定入力キーに連動して指定ウエブページに対応付けされた電話番号をブラウザホンから発呼させる請求項３に記載の情報提供装置。
【請求項５】
ブラウザホンと通信してブラウザホンが指定するＵＲＬ（指定ＵＲＬとする）を取得する手段と、
指定ＵＲＬに該当するウエブページ（指定ウエブページ）を取得する手段と、
指定ウエブページの画面情報を特定言語により表現し直した変換画面情報に、特定言語により表現した付加画面情報を組み合わせた変換ウエブページを生成する手段と、
指定ＵＲＬを発したブラウザホンに指定ウエブページを起源とする変換ウエブページを送達する手段と、
付加画面情報に盛り込む付加コンテンツを記憶する手段と、を備え、
変換ウエブページは、特定言語を解釈するプログラムが実装されたブラウザホンにおいて処理され、
変換画面情報は、指定ウエブページの画面情報を復元して表示し、表示中のカーソル機能を有効とし、
付加画面情報は、指定ウエブページの復元画面情報に添って割り当てられたスクロール情報領域に付加コンテンツの文字列をスクロール表示し、ブラウザホンの特定入力キーに連動してブラウザホンの電子メール機能を起動して所定のメールアドレスを宛先とした新規電子メールの作成画面を表示させる
情報提供装置
【請求項６】
付加画面情報は、ブラウザホンの特定入力キーに連動して指定ウエブページに対応付けされたメールアドレスを宛先とした新規電子メールの作成画面を表示させる請求項５に記載の情報提供装置。
【請求項７】
ブラウザホンと通信してブラウザホンが指定するＵＲＬ（指定ＵＲＬとする）を取得する手段と、
指定ＵＲＬに該当するウエブページ（指定ウエブページ）を取得する手段と、
指定ウエブページの画面情報を特定言語により表現し直した変換画面情報に、特定言語により表現した付加画面情報を組み合わせた変換ウエブページを生成する手段と、
指定ＵＲＬを発したブラウザホンに指定ウエブページを起源とする変換ウエブページを送達する手段と、
付加画面情報に盛り込む付加コンテンツを記憶する手段と、を備え、
変換ウエブページは、特定言語を解釈するプログラムが実装されたブラウザホンにおいて処理され、
変換画面情報は、指定ウエブページの画面情報を復元して表示し、表示中のカーソル機能を有効とし、
付加画面情報は、指定ウエブページの復元画面情報に添って割り当てられたスクロール情報領域に付加コンテンツの文字列をスクロール表示し、ブラウザホンの特定入力キーに連動してブラウザホンにインストールされている所定のソフトウエアを起動する
情報提供装置
【請求項８】
付加画面情報は、ブラウザホンの特定入力キーに連動して指定ウエブページに対応付けされたソフトウエアを起動する請求項７に記載の情報提供装置。
【発明の詳細な説明】
【技術分野】
【０００１】
この発明は、ブラウザホンが指定したウエブページをブラウザホンに代わって取り寄せるとともに、そのウエブページに付加コンテンツを盛り込んでブラウザホンに中継転送する情報提供装置に関する。
【背景技術】
【０００２】
移動体通信事業者の多くは、ブラウザを実装した携帯電話機やＰＨＳ端末（ブラウザホン）を使用したインターネット通信において、その通信費を実際に送受信したデータ量に応じて請求するデータ量従量課金制を採用している。出願人は、特許第３４１６６４７号（特許文献１）に記載のコンテンツ中継サービス装置を開発し、ブラウザホンが指定するＵＲＬに該当するウエブページをインターネットから取り寄せるとともに、そのウエブページのデータ量を削減してブラウザホンに中継転送するパケット削減サービスを実施している。
【０００３】
現在実施中のパケット削減サービスは、ＪＡＶＡ（登録商標）実行環境を備えるとともに、所定のＪＡＶＡプログラム（専用プログラム）が実装されたブラウザホンを対象として提供されている。専用プログラムは、ブラウザホンがコンテンツ中継サービス装置よりダウンロードすることでインストールされる。そして、ブラウザホンが指定するＵＲＬを中継転送装置に発信する機能と、ＨＴＭＬなど一般のウエブページを記述する言語とは異なる特殊な言語（特定言語）で記述された画面情報を解釈・実行してウエブページを画面表示する機能とを備えている。
【０００４】
このサービスに係わる通信手順としては、まず、ブラウザホンにて専用プログラムを起動し、インターネット上に公開されているウエブページ（指定ウエブページ）のＵＲＬ（指定ＵＲＬ）をコンテンツ中継サービス装置に送信する。コンテンツ中継サービス装置は、指定ＵＲＬに基づいて指定ウエブページの画面情報を取り寄せて取得する。指定ウエブページの画面情報は、ＨＴＭＬなどのマークアップ言語で記載されてウエブページの体裁を規定する文書成形データやそのページ中に挿入される画像や音声などを含んでいる。そして、コンテンツ中継サービス装置は、取得した指定ウエブページの画面情報を特定言語で表現し直して変換画面情報を生成する。変換画面情報は、指定ウエブページ中の文字や画像あるいは音声を含め、画面情報中に存在する冗長構造を省略して得た情報であり、ＨＴＭＬを主体にした変換前の画面情報と比べて極めて少ないデータ量でウエブページの画面構成を表現できる。コンテンツ中継サービス装置は、変換画面情報をブラウザホンに転送し、ブラウザホンの専用プログラムがその変換画面情報を解釈して指定ウエブページの画面を再現する。また、専用プログラムは、指定ウエブページ中に設定されているリンクが指示されると、そのリンク先のＵＲＬをコンテンツ中継サーバーに送信する。それによって、指定ウエブページ中のリンクを指示すると、リンク先のウエブコンテンツがコンテンツ転送サービス装置を経由してブラウザホンに送達する。
【０００５】
なお、このパケット削減サービスは会員制であり、コンテンツ中継サービス装置は、アクセスしてきたブラウザホンと所定の認証手続きを行って認証を経たブラウザホンと通信するとともに、会員ごとにパケットの削減実績を記録する。実際の実施形態では、会員はＩＤやパスワードなどの自身の認証情報を意識することなくパケット削減サービスを利用できるようになっている。具体的には、コンテンツ中継サービス装置は、専用プログラムをブラウザホンにダウンロードしてインストールさせる際、ブラウザホンごと（専用プログラムごと）に固有の認証情報を割り当てる。そして、専用プログラムは、起動時に自身に割り当てられた固有の認証情報をコンテンツ中継サービス装置に送信して認証手続きを行う。また、パケット削減実績は、例えば、コンテンツ中継サービス装置を経由してウエブページを取り寄せた場合とそうでない場合とで、月ごとのパケット通信料の累積差額を求めてこれを提示するなど適宜に利用される。
【０００６】
このパケット削減サービスによれば、会員から会費を徴収することでこのサービスのビジネスモデルを成立させることができる。また、膨大な数の会員と膨大な数の変換画面情報閲覧実績を背景として、指定ウエブページに該当する変換画面情報に、広告文や広告画像などの付加コンテンツの起源となる付加画面情報を加え、特定言語により記述されたこれら画面情報を含んだウエブページ（変換ウエブページ）をブラウザホンに送付すれば、会費の代わりに広告収入によるビジネスモデルが成立する。また場合によっては、付加コンテンツに広告についての詳細情報が記載されているウエブページなど、広告主が意図するリンク先を対応付けしておく。もちろん、広告に関する情報を挿入することによるデータ量の増加に比べ、指定ウエブページを変換ウエブページに変換したときのデータ削減量の方が遙かに大きい。
【０００７】
ところで、上記サービスが対象とするブラウザホンは、パーソナルコンピュータ（ＰＣ）などの一般のコンピュータとは大きく異なるユーザインタフェースを有する。周知の通り、ブラウザホンのディスプレイは大きくても対角２インチ程度の小さな画面である。入力インタフェースは、テンキーと方向指示キーと実行キーを主体としている。特に、表示中のウエブページに対しては、テンキーによる文字入力時を除いては、上下左右に配設された４つの方向指示キー（あるいは上下方向への指示を受け付けるジョグダイヤルと左右方向への２つの方向指示キー）と、４つの方向指示キーの中心にある実行キー（あるいはジョグダイヤルと一体のプッシュスイッチによる実行キー）によってほとんどの操作が可能となる。しかも、左右の方向指示キーは主に表示中のウエブページの前後に表示した画面へ遷移させるためのキーであり、操作のほとんどが上下方向への指示と実行指示で足りる。
【０００８】
ブラウザホン向けのウエブページの体裁も一般のＰＣのブラウザ向けのウエブページと異なり、ページ全体の体裁は画面縦方向に長細く、１画面中にウエブページ全体を表示できないのが普通である。そのため、ページ全体を閲覧するために、上下への方向指示キー（スクロールキー）を操作して画面を縦方向にスクロールさせる必要がある。
【０００９】
また、ウエブページには当然のことながら、他のウエブページなどのウエブコンテンツへのリンクが設定されており、リンクは、ウエブページ中の文字列や画像に設定されている。ブラウザホンは、スクロール操作に伴ってリンクの箇所を反転表示するなどして、リンク箇所を順次選択状態にする。そして、あるリンク箇所が選択された状態で実行キーが押されると、リンク先のＵＲＬを発信して該当のウエブページを取り寄せて表示する。
【発明の開示】
【発明が解決しようとする課題】
【００１０】
上記パケット削減サービスにおいて、広告収入によるビジネスモデルを採用している場合、ブラウザホンでは、小さな画面に利用者が指定したウエブページに該当する画像だけでなく、その画像内に広告などの付加コンテンツが表示されることになる。小さな画面に多くの広告領域があれば、このサービスの利用意欲が減退し、結果的に広告の閲覧機会が減って宣伝効果が減ることになる。
【００１１】
一方、広告主としては確実に自身の広告を見てもらいたいし、その広告領域に設定されているリンクを確実に指示してもらいたい。しかし、ブラウザホンにおけるリンク指示手順では、スクロール操作によって順番にリンク先を指示していくので、スクロール操作が１行でも少なかったり多かったりすると、全く異なるリンク箇所が選択状態となる。すなわち、間違ったリンク先が指示される可能性がある。また、ブラウザホン用の縦に長細いウエブページの体裁では、リンク先が画面上に表示されるまでいちいちスクロール操作をする必要もあり、リンク指示の機会自体が少なくなる。さらに、幅の狭い画面に文字や図案を表示することから、広告に長いキャッチコピーを採用すると、文字列が複数行に渡って表示されてしまい、ウエブページの美観を損ねる。
【００１２】
なお、ここに示したパケット削減サービスに限らず、ブラウザホンが指定したウエブページを取り寄せる経路に介在するコンピュータ（情報提供装置）が、ブラウザホンに代わって取り寄せたウエブページに広告などの付加コンテンツを盛り込んでブラウザホンに中継転送するサービスを提供する際には、ウエブページ中で付加コンテンツが邪魔にならず、しかも確実に閲覧されて、その付加コンテンツに設定されているリンクが間違いなく指示されるような変換ウエブページを生成することが必要である。
【課題を解決するための手段】
【００１３】
本発明は、上記課題に鑑み創作されたもので、ブラウザホンが指定したウエブページをブラウザホンに代わって取り寄せるとともに、そのウエブページに広告などの付加コンテンツを盛り込んでブラウザホンに中継転送するサービスを提供する際、ブラウザホンにおいて快適なユーザインタフェース環境を実現させることを目的としている。  
本発明の基本となる報提供装置は、ブラウザホンと通信してブラウザホンが指定するＵＲＬ（指定ＵＲＬとする）を取得する手段と、指定ＵＲＬに該当するウエブページ（指定ウエブページ）を取得する手段と、指定ウエブページの画面情報を特定言語により表現し直した変換画面情報に、特定言語により表現した付加画面情報を組み合わせた変換ウエブページを生成する手段と、指定ＵＲＬを発したブラウザホンに指定ウエブページを起源とする変換ウエブページを送達する手段と、付加画面情報に盛り込む付加コンテンツを記憶する手段とを備え、
変換ウエブページは、特定言語を解釈するプログラムが実装されたブラウザホンにおいて処理され、変換画面情報は、指定ウエブページの画面情報を復元して表示し、表示中のカーソル機能を有効化させ、付加画面情報は、指定ウエブページの復元画面情報に添って割り当てられたスクロール情報領域に付加コンテンツの文字列をスクロール表示し、ブラウザホンの特定入力キーに連動してブラウザホンから特定ＵＲＬを発信させることとしている。
【００１４】
また、付加画面情報は、ブラウザホンの特定入力キーに連動して指定ウエブページに対応付けされたＵＲＬをブラウザホンから発信させることとしてもよい。
【００１５】
なお、本発明の範囲は、ブラウザホンと通信してブラウザホンが指定するＵＲＬ（指定ＵＲＬとする）を取得する手段と、指定ＵＲＬに該当するウエブページ（指定ウエブページ）を取得する手段と、指定ウエブページの画面情報を特定言語により表現し直した変換画面情報に、特定言語により表現した付加画面情報を組み合わせた変換ウエブページを生成する手段と、指定ＵＲＬを発したブラウザホンに指定ウエブページを起源とする変換ウエブページを送達する手段と、付加画面情報に盛り込む付加コンテンツを記憶する手段とを備え、
変換ウエブページは、特定言語を解釈するプログラムが実装されたブラウザホンにおいて処理され、変換画面情報は、指定ウエブページの画面情報を復元して表示し、表示中のカーソル機能を有効とし、付加画面情報は、指定ウエブページの復元画面情報に添って割り当てられたスクロール情報領域に付加コンテンツの文字列をスクロール表示し、ブラウザホンの特定入力キーに連動してブラウザホンから特定電話番号を発呼させる情報提供装置にも及んでいる。
【００１６】
また、付加画面情報は、ブラウザホンの特定入力キーに連動して指定ウエブページに対応付けされた電話番号をブラウザホンから発呼させる情報提供装置とすることもできる。
【００１７】
さらに、ブラウザホンと通信してブラウザホンが指定するＵＲＬ（指定ＵＲＬとする）を取得する手段と、指定ＵＲＬに該当するウエブページ（指定ウエブページ）を取得する手段と、指定ウエブページの画面情報を特定言語により表現し直した変換画面情報に、特定言語により表現した付加画面情報を組み合わせた変換ウエブページを生成する手段と、指定ＵＲＬを発したブラウザホンに指定ウエブページを起源とする変換ウエブページを送達する手段と、付加画面情報に盛り込む付加コンテンツを記憶する手段とを備え、
変換ウエブページは、特定言語を解釈するプログラムが実装されたブラウザホンにおいて処理され、変換画面情報は、指定ウエブページの画面情報を復元して表示し、表示中のカーソル機能を有効とし、付加画面情報は、指定ウエブページの復元画面情報に添って割り当てられたスクロール情報領域に付加コンテンツの文字列をスクロール表示し、ブラウザホンの特定入力キーに連動してブラウザホンの電子メール機能を起動して所定のメールアドレスを宛先とした新規電子メールの作成画面を表示させる情報提供装置とすることもできる。なお付加画面情報は、ブラウザホンの特定入力キーに連動して指定ウエブページに対応付けされたメールアドレスを宛先とした新規電子メールの作成画面を表示させることとしてもよい。
【００１８】
ブラウザホンと通信してブラウザホンが指定するＵＲＬ（指定ＵＲＬとする）を取得する手段と、指定ＵＲＬに該当するウエブページ（指定ウエブページ）を取得する手段と、指定ウエブページの画面情報を特定言語により表現し直した変換画面情報に、特定言語により表現した付加画面情報を組み合わせた変換ウエブページを生成する手段と、指定ＵＲＬを発したブラウザホンに指定ウエブページを起源とする変換ウエブページを送達する手段と、付加画面情報に盛り込む付加コンテンツを記憶する手段とを備え、
変換ウエブページは、特定言語を解釈するプログラムが実装されたブラウザホンにおいて処理され、変換画面情報は、指定ウエブページの画面情報を復元して表示し、表示中のカーソル機能を有効とし、付加画面情報は、指定ウエブページの復元画面情報に添って割り当てられたスクロール情報領域に付加コンテンツの文字列をスクロール表示し、ブラウザホンの特定入力キーに連動してブラウザホンにインストールされている所定のソフトウエアを起動する情報提供装置も本発明の範囲である。また付加画面情報は、ブラウザホンの特定入力キーに連動して指定ウエブページに対応付けされたソフトウエアを起動することとしてもよい。
【発明の効果】
【００１９】
本発明の情報提供装置によれば、ブラウザホンが指定したウエブページをブラウザホンに代わって取り寄せるとともに、そのウエブページに広告などの付加コンテンツを盛り込んでブラウザホンに中継転送するサービスを提供する際、ブラウザホンにおいて快適なユーザインタフェース環境が実現される。
【発明を実施するための最良の形態】
【００２０】
＝＝＝ネットワーク構成＝＝＝
図１に本発明の実施例における情報提供装置を含むネットワーク構成を示した。インターネット１には、情報処理装置１０やＷＷＷサーバー２０など多数のホストコンピューと不特定多数のユーザが使用するパーソナルコンピュータ３０などのブラウザ搭載端末とが接続されている。またブラウザホン５０は、自身が加入している移動体通信事業者の移動体通信網４０にエアインターフェースを介して無線基地局４１と接続し、さらに、それぞれの事業者が管理・運営するゲートウエイサーバー４２を介してインターネット１に接続している。
【００２１】
＝＝＝情報提供装置＝＝＝
本実施例の情報提供装置１０は、ブラウザホン５０を対象として前述のパケット削減サービスを提供するとともに、そのサービス提供過程で指定ウエブページに付加コンテンツが盛り込まれた変換ウエブページをブラウザホン５０に送達する。情報提供装置１０は、ＷＷＷサーバーとしての基本機能を備え、付加コンテンツを蓄積管理するコンテンツデータベース１１を付帯している。コンテンツデータベース１１は、多数の広告文のテキストデータを蓄積し、各広告文にそれぞれリンク先を対応付けして管理している。リンク先としては広告文の掲載依頼をした広告主のホームページなど、広告に関わる詳細情報が得られるウエブコンテンツを対応付けしておけばよい。なお、情報提供装置１０が生成する変換ウエブページは、ブラウザホン５０の専用プログラムによって処理された際、付加コンテンツの広告文が長文であっても、その広告文が指定ウエブページの表示領域を占有することはない。また、付加コンテンツに対応付けされているリンクが指示される際には、誤操作がほとんど発生しないようになっている。
【００２２】
図２にブラウザホン５０に変換ウエブページが送達されるまでの経路を示した。情報提供装置１０は、ブラウザホン５０にて専用プログラムが起動され、そのプログラムにより利用者が指定したＵＲＬが送信されてくると（ｓ１）、その指定ＵＲＬに該当するウエブページ（指定ウエブページ）を公開しているＷＷＷサーバー２０にアクセスし、指定ウエブページを取り寄せて取得する（ｓ２〜ｓ４）。また、コンテンツデータベース１１より適宜な付加コンテンツを取り出し、指定ウエブページと付加コンテンツとに基づいて変換ウエブページを生成し、これをブラウザホン５０に送付する（ｓ５〜ｓ７）。ブラウザホン５０は、専用プログラムにより、送達した変換ウエブページを解釈して付加コンテンツが盛り込まれた指定ウエブページを表示する（ｓ８）
図３（Ａ）（Ｂ）にＨＴＭＬで記述された指定ウエブページと特定言語で記述された変換ウエブページのソースデータの一部をそれぞれに示した。ここに例示した２つのソースデータは、テキスト形式にして、ともに約３ＫＢ程度のデータ量で同程度である。しかし、ＨＴＭＬ文書６０には、画像や音声などその文書中に挿入されるウエブコンテンツに該当するバイナリデータが含まれていない。バイナリデータは、ブラウザが指定ウエブページのＨＴＭＬ文書６０を解釈実行してから取り寄せられる。そのため、ブラウザホン５０において、実際に表示される指定ウエブページ全体のデータ量はこのＨＴＭＬ文書６０より遙かに大きいことになる。それに対し、変換ウエブページ７０は、ＨＴＭＬ文書の構造を規定した情報７１とＨＴＭＬ文書中に挿入される各種バイナリデータ７２とによって指定ウエブページを特定言語によって記述するとともに、付加コンテンツに該当する付加画面情報７３をヘッダ情報として含めている。すなわち、ブラウザホン５０にて表示される情報全てを含んでいる。
【００２３】
図４にブラウザホン５０に表示される変換ウエブページの概略を示した。なお、ここでは、上下方向指示（スクロール）キーと実行キーを兼ねたジョグダイヤル５１を搭載したブラウザホン５０における変換ウエブページの表示状態とそのページに対する操作手順などを示した。変換ウエブページがブラウザホン５０に送達されると、専用プログラムは、初期表示状態として、付加画面情報に基づく帯状の付加コンテンツ表示領域５５をディスプレイ５２の指定位置に割り当てるとともに、指定ウエブページの画面５４を背景としてこの領域５５内に広告文の文字列を横スクロール表示する（Ａ）。この初期表示状態からブラウザホン５０のジョグダイヤル５１を下方に回転させると横スクロール表示領域５５はそのまま表示位置を変えず、指定ウエブページの画面５４だけが縦スクロール表示される。また、縦スクロールの過程で指定ウエブページに設定されているリンク箇所が選択されるとその選択箇所５６が反転表示される（Ｂ）。なお、リンク箇所５６が選択された状態で実行キー５１が押されればリンク先のウエブコンテンツが情報提供装置１０経由でブラウザホン５０に送達される。
【００２４】
一方、付加画面情報には、ブラウザホン５０における所定のキー５３が付加コンテンツに対応するリンクへの指示を受け付けるキーとして定義されている。この例では、ブラウザホン５０において、待ち受け状態からブラウザに係わる各種機能を呼び出すためのキー５３をリンク指示のキーとして割り当てている。このキー５３を押すと、ブラウザホン５０は、対応のリンク先のＵＲＬを情報提供装置１０に送信し、該当のウエブコンテンツを情報提供装置１０経由で取り寄せて表示する（Ｃ）。そのウエブコンテンツがウエブページであるならば、情報提供装置１０は、そのウエブページに付加コンテンツを盛り込んで変換ウエブページを生成してこれをブラウザホン５０に送達するようにしてもよい。もちろん、情報提供装置１０を経由せずに直接ウエブコンテンツを取りに行くようにすることも可能である。
【００２５】
＝＝＝付加コンテンツの選択制御＝＝＝
コンテンツデータベースは、付加コンテンツに特定のＵＲＬを対応付けして管理してもよい。そして、情報提供装置１０は、ブラウザホン５０からの指定ＵＲＬに特定の付加コンテンツが対応付けされている場合、指定ウエブページの変換画面情報とその付加コンテンツの付加画面情報とを含んだ変換ウエブページをブラウザホン５０に送達する。それによって、例えば、指定ウエブページがスキー場のホームページであれば、スキー用品メーカの広告文を付加コンテンツとするなど、指定ウエブページの内容にあった広告文を表示させることができ、付加コンテンツに設定されているリンクが指示される可能性が高くなる。
【００２６】
＝＝＝付加コンテンツのリンク設定＝＝＝
上記実施例において、付加コンテンツに設定されたリンクはインターネット１上にあるウエブコンテンツを取り寄せるためのものであった。ブラウザホン５０では、周知の通り、リンク先として電話番号を指定することができる。ブラウザホン５０にて電話番号が対応付けされたリンクが指示されると、ブラウザホン５０は、移動体通信網の通話回線に接続し、その電話番号を発呼する。そこで、付加コンテンツに対応付けするリンク先として電話番号を設定しておけば、例えば、あるレストランの指定ウエブページにそのレストランの日替わりメニューなどの広告文を付加コンテンツとして盛り込み、その付加コンテンツにレストランの電話番号をリンクとして設定するなどの応用が考えられる。
【００２７】
あるいは、リンク先としてメールアドレスを指定しておくこともできる。そして、ブラウザホン５０にてそのメールアドレスが対応付けされたリンクが指示されると、ブラウザホン５０は、電子メール機能を起動し、指定のメールアドレスを宛先とした新規メールの作成画面を表示する。それによって、先のレストランを例に挙げれば、電子メールによって予約申し込みをするなどの応用が考えられる。
【００２８】
リンク先として所定のアプリケーションプログラムを指定することも可能である。ブラウザホン５０にて付加コンテンツに設定されたリンクが指示されると、ブラウザホン５０は、自身に実装されている専用プログラム以外の所定のアプリケーションプログラムを起動する。例えば、付加コンテンツがイベントの開催日時を知らせる広告文であり、このコンテンツに設定されたリンクを指示すると、スケジュール表管理プログラムが起動するようにしておく。そして利用者は、起動したスケジュール表管理プログラムにより、そのイベントについての開催日時などをスケジュール表に書き込むなどの応用が考えられる。
【００２９】
リンク先として所定のＷｅｂコンテンツとそのＷｅｂコンテンツを利用するための所定のアプリケーションプログラムを指定しておくことも考えられる。例えば、Ｗｅｂコンテンツとして動画データを取り寄せるとともに、その動画データの再生プログラムを起動するなどの応用が考えられる。
【００３０】
＝＝＝情報提供サービス＝＝＝
上記実施例において、ブラウザホン５０のユーザは、広告文が入っていたとしても、パケット削減サービスを受けられるからこそ、わざわざ付加コンテンツが盛り込まれた変換ウエブページを取り寄せてまで情報提供装置を利用していた。言い換えれば、パケット削減サービスが受けられなくても情報提供装置１０が提供する付加コンテンツ自体、あるいは付加コンテンツに設定されたリンク先が魅力的あったり必要性を有するものであったりすれば、情報提供装置１０は積極的に利用されるはずである。すなわち本発明は、ブラウザホン５０が自由にアクセスできる一般ウエブサイトに情報提供装置１０経由でアクセスすると、一般ウエブサイトでは提供されていない専用サービスの提供が受けられる、という用途にも応用可能である。
【００３１】
一例を挙げると、アーティストのファンクラブのウエブサイトがインターネット上に開設されており、ファンクラブの会員は、自身のブラウザホン５０に、このサイトのウエブページを情報提供装置１０経由で取り寄せるための専用プログラムをインストールしておく。そして、会員のブラウザホン５０が情報提供装置１０経由でこのファンクラブのウエブサイトからあるウエブページを取り寄せると、付加コンテンツとしてコンサートの情報が横スクロール表示される。この付加コンテンツには、コンサートチケットを割引価格で購入できるサイトや予約電話番号がリンクとして設定されており、そのリンクを指示するための所定のキーを操作するとリンク先の電話番号を発呼してチケットの予約を申し込める。
【００３２】
またリンク先として、いわゆる「ダイヤルＱ２」（登録商標）と呼ばれる有料情報サービスの電話番号（課金ダイヤル番号）にしておけば、募金や献金などの受け付けサービスを提供することができる。すなわち、課金ダイヤル番号の所有者は献金や募金を募集する団体（情報提供者）であり、この団体が管理するインターネット１上のウエブページを情報提供装置１０経由で取り寄せると、課金ダイヤル番号をリンク先とした付加コンテンツが含まれた変換ウエブページがブラウザホン５０に送達されるようにしておく。
【００３３】
ブラウザホン５０にてこのリンクが指示されて課金ダイヤル番号が発呼された場合、発呼先の電話は着信に応答したのち呼をすぐに切断すればよい。呼に応答して適当な音声メッセージを自動送出するようにしておいてもよい。これによってブラウザホン５０の利用者は、課金ダイヤル番号への発呼により発生する付加通話料を募金や献金として、時間や場所を選ばず、そして全くの自発的行為によって納めることができるのである。すなわち、移動体通信事業者から、月々のブラウザホン５０の通話料金にこの発呼分の料金が付加されて請求され、その付加請求分が募金・献金として情報提供者の指定口座に振り込まれるのである。
【００３４】
＝＝＝ブラウザホンについて＝＝＝
上記実施例において、ブラウザホンはブラウザを実装した携帯電話機やＰＨＳを想定していた。本発明において、ブラウザホンは、情報提供装置に指定ＵＲＬを送信する機能と、変換ウエブページを解釈して画面生成する機能を備えたソフトウエアが実装されている情報端末であり、必ずしも、ＨＴＭＬやそれに準拠した文書成形データを解釈実行する従来のブラウザが実装されていなくてもよい。また、情報提供装置とブラウザホンは、ＨＴＴＰに限らず他のプロトコルに基づいて通信することとしてもよい。
【図面の簡単な説明】
【００３５】
【図１】本発明の実施例における情報提供装置を含むネットワーク構成図である。
【図２】上記情報提供装置にて生成される変換ウエブページが上記ネットワークを構成するブラウザホンに送達されるまでの過程を示す流れ図である。
【図３】上記ブラウザホンが情報提供装置に取り寄せを依頼した指定ウエブページのソースデータ（Ａ）と、指定ウエブページを起源として情報提供装置が生成する変換ウエブページのソースデータ（Ｂ）の概略図である。
【図４】上記ブラウザホンにおいて表示される変換ウエブページの概略図である。
【符号の説明】
【００３６】
１  インターネット
１０  情報提供装置
１１  コンテンツデータベース
２０  ＷＷＷサーバー
５０  ブラウザホン
５４  指定ウエブページ画面
５５  付加コンテンツ表示領域
【図１】
2005128617.tif 000003
【図２】
2005128617.tif 000004
【図３】
2005128617.tif 000005
【図４】
2005128617.tif 000006